(57)【要約】【課題】  ユーザが持つ際に邪魔になる部材を用いることなく、画面ケースとキーケースの間に所定の開き角度を確保することができるとともに、画面ケースやキーケースの厚みを抑制することができる携帯端末装置を得ることを目的とする。【解決手段】  ヒンジ部６がヒンジ固定ピン７によってキーケース１と係合され、そのヒンジ部６を支点にして上端部５ｃがキーケース１の仰角方向に回転するケース支持部材５を設け、画面ケース９をキーケース１の長手方向にスライド自在にケース支持部材５と連結する。【選択図】        図１４
2006186577.tif 000002
【特許請求の範囲】
【請求項１】
入力部又は出力部を有する第１の筐体と、この第１の筐体に重畳して前記入力部又は出力部を被覆するとともに、前記第１の筐体の上方に滑動して前記入力部又は出力部を露出させる第２の筐体とを備えた携帯端末装置において、前記第２の筐体の上端部と同一方向に滑動するように前記第２の筐体に固着された第１の滑子と、前記第１の筐体に斜設され、前記第２の筐体が前記第１の筐体の上方に滑動する場合に、前記第１の筐体に対して仰角方向に前記第１の滑子を斜走させることにより前記第２の筐体が傾倒させる斜行軌道とを備えたことを特徴とする携帯端末装置。
【請求項２】
入力部又は出力部を有する第１の筐体と、この第１の筐体に重畳して前記入力部又は出力部を被覆するとともに、前記第１の筐体の上方に滑動して前記入力部又は出力部を露出させる第２の筐体とを備えた携帯端末装置において、上端部から下端部に向けて前記第１の筐体に徐々に近づくように前記第２の筐体に斜設された斜行軌道と、前記第１の筐体に設置され、前記第２の筐体が前記第１の筐体の上方に滑動する場合に、前記斜行軌道を前記第１の筐体側の面に近づく方向に滑動して前記第２の筐体を傾倒させる第１の滑子とを備えたことを特徴とする携帯端末装置。
【請求項３】
第２の筐体の下端部と同一方向に滑動するように第２の筐体に固着された第２の滑子と、前記第２の筐体が第１の筐体の上方に滑動する場合に、第１の滑子とは異なる方向に前記第２の滑子を誘導するように第１の筐体に設置された平行軌道を設けたことを特徴とする請求項１または請求項２記載の携帯端末装置。
【請求項４】
第１の筐体に固着された第２の滑子と、前記第２の筐体が第１の筐体の上方に滑動する場合に、第１の滑子とは異なる方向に前記第２の滑子を誘導するように第２の筐体に設置された平行軌道を設けたことを特徴とする請求項１または請求項２記載の携帯端末装置。
【請求項５】
第２の筐体の下端部と同一方向に滑動するように前記第２の筐体に固着された第２の滑子と、下端部を支点に前記第１の筐体に回動自在に装着され、前記第２の筐体が第１の筐体の上方に滑動する場合に、第１の滑子とは異なる方向に前記第２の滑子を誘導する平行軌道を有し、前記第２の筐体の傾倒に合わせて回動する軌道支持部材とを備えたことを特徴とする請求項１または請求項２記載の携帯端末装置。
【請求項６】
第２の筐体に設置され、斜行軌道とは異なる方向を有する平行軌道と、前記平行軌道を滑動する第２の滑子を有するとともに、前記第２の筐体が上方に滑動しても前記第２の滑子と前記平行軌道が係合するように、下端部を支点に第１の筐体に回動自在に装着された軌道支持部材とを備えたことを特徴とする請求項２に記載の携帯端末装置。
【請求項７】
第２の筐体と軌道支持部材との隙間をカバーする軌道支持部材は、第２の筐体が滑動して傾倒した場合に、この軌道支持部材と第１の筐体との間に生じる隙間を被覆するカバー部材を備えたことを特徴とする請求項５または請求項６記載の携帯端末装置。
【請求項８】
操作キーが配置されているキーケースと、下端部が前記キーケースと係合され、その下端部を支点にして上端部が前記キーケースの仰角方向に回転するケース支持部材と、前記キーケースの上に載置される一方、前記キーケースの長手方向又は短手方向にスライド自在に前記ケース支持部材と連結されている画面ケースとを備えた携帯端末装置。
【請求項９】
画面ケースがキーケースの下端面側にスライドしている状態では、ケース支持部材の表面が前記キーケースの表面と水平になり、前記画面ケースが前記キーケースの上端面側にスライドしている状態では、前記ケース支持部材の表面と前記キーケースの表面とのなす角が所定角度になることを特徴とする請求項８記載の携帯端末装置。
【請求項１０】
画面ケースの裏面にスライドレールが長手方向又は短手方向に施され、ケース支持部材の表面に前記スライドレールと嵌合する嵌合部が形成されていることを特徴とする請求項８または請求項９記載の携帯端末装置。
【請求項１１】
キーケースにガイド溝が長手方向又は短手方向に施され、画面ケースに先端が前記ガイド溝と当接する突起部が形成されていることを特徴とする請求項８から請求項１０のうちのいずれか１項記載の携帯端末装置。
【請求項１２】
ガイド溝は、キーケースの表面までの距離が一定の直線状の部位と、そのキーケースの表面までの距離が変化する傾斜状の部位とを有することを特徴とする請求項１１記載の携帯端末装置。
【請求項１３】
ガイド溝がキーケースの内側又は外側に施されていることを特徴とする請求項１１または請求項１２記載の携帯端末装置。
【請求項１４】
画面ケースにガイド溝が長手方向又は短手方向に施され、キーケースに先端が前記ガイド溝と当接する突起部が形成されていることを特徴とする請求項８から請求項１０のうちのいずれか１項記載の携帯端末装置。
【請求項１５】
ガイド溝は、画面ケースの裏面までの距離が一定の直線状の部位と、その画面ケースの裏面までの距離が変化する傾斜状の部位とを有することを特徴とする請求項１４記載の携帯端末装置。
【請求項１６】
ガイド溝が画面ケースの内側又は外側に施されていることを特徴とする請求項１４または請求項１５記載の携帯端末装置。
【請求項１７】
高さが変更自在の突起部が形成されていることを特徴とする請求項１１から請求項１６のうちのいずれか１項記載の携帯端末装置。
【請求項１８】
ケース支持部材の上端部の厚みが、画面ケースがキーケースの上端面側にスライドしている状態のときに生じる前記キーケースと前記画面ケースの隙間よりも大きいことを特徴とする請求項８から請求項１７のうちのいずれか１項記載の携帯端末装置。
【請求項１９】
操作キーが配置されているキーケースと、前記キーケースの上に載置され、前記キーケースの長手方向又は短手方向にスライド自在に前記キーケースと連結されている画面ケースと、下端部が前記キーケースと係合され、その下端部を支点にして上端部が前記キーケースの仰角方向に回転して、前記画面ケースを押し上げるケース支持部材とを備えた携帯端末装置。
【請求項２０】
ケース支持部材の上端部の裏面が弾性部材によって押し圧されていることを特徴とする請求項１９記載の携帯端末装置。
【発明の詳細な説明】
【技術分野】
【０００１】
この発明は、画面ケースとキーケースをスライド方式で開閉する携帯電話機などの携帯端末装置に関するものである。
【背景技術】
【０００２】
従来の携帯電話機などの携帯端末装置は、操作キーが配置されているキーケースと、液晶ディスプレイが実装されている画面ケースとがヒンジによって連結され、通話やメールなどの操作が行われていない未使用時には、キーケースと画面ケースが折り畳まれて閉じられ、通話やメールなどの操作が行われる使用時には、折り畳まれているキーケースと画面ケースが開くように構成されている。
しかし、折り畳み形式の携帯端末装置は、未使用時には、キーケースと画面ケースが折り畳まれて閉じられているため、画面ケースに実装されているメインの液晶ディスプレイが見えず、電池残量やメール着信の有無などを確認することができない。
そのため、画面ケースの背面側（メインの液晶ディスプレイが実装されている面の裏面側）にも、小型の液晶ディスプレイが実装されることが多い。
【０００３】
このように、画面ケースの背面側にも小型の液晶ディスプレイが実装される場合、画面ケースが厚くなるとともに、部品点数や製造コストが増加することになる。
そこで、最近は、未使用時でも、画面ケースに実装されているメインの液晶ディスプレイが見えるようにするため、画面ケースとキーケースをスライド方式で開閉する携帯端末装置が開発されている。
【０００４】
しかし、画面ケースとキーケースが単に直線的にスライドするだけでは、長手方向に真っ直ぐ伸びるだけで、画面ケースとキーケースの間に角度がつかなくなるため、例えば、通話時の使い勝手が悪くなる（画面ケースの上端部にあるスピーカをユーザの耳にあてると、キーケースの下端部にあるマイクから、ユーザの口までの距離が長くなり、ユーザの発話内容の集音精度が悪くなる）。
【０００５】
そこで、画面ケースとキーケースをスライドして開いた状態になったとき、画面ケースとキーケースの間に所定の角度がつく機構を備えたスライド方式の携帯端末装置が開発されている（例えば、特許文献１参照）。
即ち、特許文献１に開示されているスライド方式の携帯端末装置では、キーケースの長手方向にスライドレールが施され、画面ケースの下端部に取り付けられたスライド金具が上記スライドレールに嵌合されている。
また、画面ケースの中間部とキーケースの上端部との間に接続腕部が回転自在に取り付けられている。
これにより、ユーザが、画面ケースとキーケースが閉じている状態から開けようとすると、画面ケースの下端部がキーケースに沿って平行に移動する一方、回転自在に取り付けられている接続腕部が回転することにより、その画面ケースが徐々に起き上がり、画面ケースとキーケースの間に所定の開き角度が確保される。
【０００６】
また、他のスライド方式の携帯端末装置として、画面ケースとキーケースの重なり面を湾曲状に形成している携帯端末装置が以下の非特許文献１，２に開示されている。
画面ケースとキーケースの重なり面が湾曲状に形成されているため、画面ケースとキーケースをスライドさせると、開いた状態では携帯端末装置が弓なりになり、画面ケースとキーケースの間に所定の開き角度が確保される。
【０００７】
【特許文献１】特開２００３−２９８６９５号公報（段落番号［００１８］から［００２５］、図１）
【非特許文献１】http://www1.adtecsys.co.jp/cebit2002/cebit_3/cebit_3.html
【非特許文献２】http://itpro.nikkeibp.co.jp/free/NCC/NEWS/20020315/2/
【発明の開示】
【発明が解決しようとする課題】
【０００８】
従来の携帯端末装置は以上のように構成されているので、ユーザが画面ケースとキーケースが閉じている状態から開けようとすると、回転自在に取り付けられている接続腕部が回転することによって画面ケースが徐々に起き上がり、画面ケースとキーケースの間に所定の開き角度が確保される（特許文献１）。しかし、画面ケースとキーケースが開いている状態では、棒状の接続腕部が立ち上がるため、ユーザが携帯端末装置を持つ上で接続腕部が邪魔になることがある課題があった。また、その接続腕部は棒状の部材で形成されるため、破損し易い課題もあった。
【０００９】
また、画面ケースとキーケースの重なり面を湾曲状に形成すると、開いた状態では携帯端末装置が弓なりになり、画面ケースとキーケースの間に所定の開き角度が確保される（非特許文献１，２）。しかし、画面ケースとキーケースの重なり面を湾曲状に形成する場合、それらのケースに平板状の液晶ディスプレイや基板を収納するに際して、その画面ケースとキーケースの重なり面が平面状に形成されている場合と比べて、ケースの厚みが大きくなる課題があった。
なお、それらのケースに収納する液晶ディスプレイや基板などを湾曲状に形成すれば、ケースの厚みを抑えることができるが、液晶ディスプレイや基板などの製造コストが増加することになる。
【００１０】
この発明は上記のような課題を解決するためになされたもので、ユーザが持つ際に邪魔になる部材を用いることなく、画面ケースとキーケースの間に所定の開き角度を確保することができるとともに、画面ケースやキーケースの厚みを抑制することができる携帯端末装置を得ることを目的とする。
【課題を解決するための手段】
【００１１】
この発明に係る携帯端末装置は、第２の筐体の上端部と同一方向に滑動するように第２の筐体に固着された第１の滑子と、第１の筐体に斜設され、第２の筐体が第１の筐体の上方に滑動する場合に、第１の筐体に対して仰角方向に第１の滑子を斜走させることにより第２の筐体が傾倒させる斜行軌道とを備えるようにしたものである。
【発明の効果】
【００１２】
この発明によれば、第２の筐体の上端部と同一方向に滑動するように第２の筐体に固着された第１の滑子と、第１の筐体に斜設され、第２の筐体が第１の筐体の上方に滑動する場合に、第１の筐体に対して仰角方向に第１の滑子を斜走させることにより第２の筐体が傾倒させる斜行軌道とを備えるように構成したので、第１の筐体と第２の筐体の間に所定の開き角度を確保することができるとともに、第１の筐体や第２の筐体の厚みを抑制することができる効果がある。
【発明を実施するための最良の形態】
【００１３】
実施の形態１．
図１はこの発明の実施の形態１による携帯端末装置が閉じている状態を示す側面図であり、図２はこの発明の実施の形態１による携帯端末装置が開いている状態を示す側面図である。
図において、第１の筐体であるキーケース２１の表面２１ａには、複数の操作キーが配置されている入力部が実装されている。ただし、第１の筐体がキーケースではなく、画面ケースである場合、その表面２１ａには出力部である液晶ディスプレイが実装される。
また、キーケース２１の側面２１ｂには、ガイド溝である平行軌道２２と斜行軌道２３が形成されている。
【００１４】
第２の筐体である画面ケース２４の表面２４ａには、出力部である液晶ディスプレイが実装されており、キーケース２１の上に載置される。第２の筐体が画面ケース２４ではなく、キーケースである場合、その表面２４ａには入力部が実装される。
また、画面ケース２４の裏面２４ｂには、先端部がキーケース２１の平行軌道２２と嵌合され、その平行軌道２２に沿って滑動する滑子２５と、先端部がキーケース２１の斜行軌道２３と嵌合され、その斜行軌道２３に沿って滑動する滑子２６とが形成されている。
【００１５】
次に動作について説明する。
携帯端末装置が閉じている状態では、図１に示すように、画面ケース２４の裏面２４ｂに形成されている滑子２５は、キーケース２１の側面２１ｂに形成されている平行軌道２２の左側に位置し、画面ケース２４の裏面２４ｂに形成されている滑子２６は、キーケース２１の側面２１ｂに形成されている斜行軌道２３の左側に位置している。
【００１６】
携帯端末装置が閉じている状態から、図中、右側に画面ケース２４をスライドさせると、図２に示すように、画面ケース２４の裏面２４ｂに形成されている滑子２５は、平行軌道２２に沿って移動し、画面ケース２４の裏面２４ｂに形成されている滑子２６は、斜行軌道２３に沿って移動する。
ただし、平行軌道２２は、その左端と右端の高さが平行になるようにキーケース２１の側面２１ｂに形成されているのに対して、斜行軌道２３は、左端より右端が高くなるようにキーケース２１の側面２１ｂに形成されているので、画面ケース２４の下端部（図中、左端）はキーケース２１から離れることなく、図中、右側に平行移動するが、画面ケース２４の上端部（図中、右端）はキーケース２１から除々に離れながら、図中、右上方に移動する。
【００１７】
この結果、携帯端末装置が開いている状態では、画面ケース２４とキーケース２１の間に所定の開き角度を確保することができる。
この際、従来例のように、画面ケース２４とキーケース２１の重なり面を湾曲状に形成する必要がないので、画面ケース２４とキーケース２１の厚みを抑制することができる。
【００１８】
なお、この実施の形態１では、キーケース２１の側面２１ｂに平行軌道２２と斜行軌道２３を形成し、画面ケース２４の裏面２４ｂに滑子２５，２６を形成しているものについて示したが、図３に示すように、画面ケース２４の側面２４ｃに平行軌道２２と斜行軌道２３を形成し、画面ケース２４の表面２１ａに滑子２５，２６を形成するようにしてもよい。
また、図４に示すように、画面ケース２４の側面２４ｃに平行軌道２２を形成するとともに、キーケース２１の側面２１ｂに斜行軌道２３を形成し、また、キーケース２１の表面２１ａに滑子２５を形成するとともに、画面ケース２４の裏面２４ｂに滑子２６を形成するようにしてもよい。
さらに、図５に示すように、キーケース２１の側面２１ｂに平行軌道２２を形成するとともに、画面ケース２４の側面２４ｃに斜行軌道２３を形成し、また、画面ケース２４の裏面２４ｂに滑子２５を形成するとともに、キーケース２１の表面２１ａに滑子２６を形成するようにしてもよい。
【００１９】
また、この実施の形態１では、キーケース２１の側面２１ｂに形成されている平行軌道２２と斜行軌道２３が分離されているものについて示したが、図６及び図７に示すように、平行軌道２２と斜行軌道２３が一本化されていてもよい。
【００２０】
実施の形態２．
図８はこの発明の実施の形態２による携帯端末装置が閉じている状態を示す側面図であり、図９はこの発明の実施の形態２による携帯端末装置が開いている状態を示す側面図である。図において、図１及び図２と同一符号は同一または相当部分を示すので説明を省略する。
軌道支持部材３１の下端部（図中、左端）にはヒンジ３２が形成され、そのヒンジ３２を支点にしてキーケース２１に回動自在に装着されている。したがって、携帯端末装置が閉じている状態では、軌道支持部材３１はキーケース２１の表面２１ａと重なるが、携帯端末装置が開いている状態では、軌道支持部材３１とキーケース２１の間に所定の開き角度が生まれる。
軌道支持部材３１の上端部（図中、右端）には、先端部が画面ケース２４の平行軌道２２と嵌合され、その平行軌道２２に沿って滑動する滑子３３が形成されている。
【００２１】
次に動作について説明する。
携帯端末装置が閉じている状態では、図８に示すように、画面ケース２４の裏面２４ｂに形成されている滑子２６は、キーケース２１の側面２１ｂに形成されている斜行軌道２３の左側に位置し、軌道支持部材３１の上端部に形成されている滑子３３は、画面ケース２４の側面２４ｃに形成されている平行軌道２２の右側に位置している。
【００２２】
携帯端末装置が閉じている状態から、図中、右側に画面ケース２４をスライドさせると、図９に示すように、画面ケース２４の裏面２４ｂに形成されている滑子２６は、斜行軌道２３に沿って移動し、軌道支持部材３１の上端部に形成されている滑子３３は、平行軌道２２に沿って移動する。
この際、軌道支持部材３１の上端部に形成されている滑子３３と平行軌道２２がスライド自在に嵌合されており、画面ケース２４の裏面２４ｂと軌道支持部材３１が離れることなく、互いにスライドするので、画面ケース２４の裏面２４ｂに形成されている滑子２６が斜行軌道２３に沿って移動することにより、画面ケース２４の下端部（図中、左端）がキーケース２１から離れることなく、図中、右側に平行移動し、画面ケース２４の上端部（図中、右端）がキーケース２１から除々に離れながら、図中、右上方に移動する。
【００２３】
この結果、携帯端末装置が開いている状態では、画面ケース２４とキーケース２１の間に所定の開き角度を確保することができる。
この際、従来例のように、画面ケース２４とキーケース２１の重なり面を湾曲状に形成する必要がないので、画面ケース２４とキーケース２１の厚みを抑制することができる。
【００２４】
なお、この実施の形態２では、画面ケース２４の側面２４ｃに平行軌道２２を形成するとともに、キーケース２１の側面２１ｂに斜行軌道２３を形成し、また、画面ケース２４の裏面２４ｂに滑子２６を形成するとともに、軌道支持部材３１の上端部に滑子３３を形成するものについて示したが、図１０に示すように、画面ケース２４の側面２４ｃに平行軌道２２と斜行軌道２３を形成し、また、キーケース２１の側面２１ｂに滑子２６を形成するとともに、軌道支持部材３１の上端部に滑子３３を形成するようにしてもよい。
また、平行軌道２２については、図１１に示すように、画面ケース２４の筐体内部に形成するようにしてもよい。
【００２５】
また、図１２に示すように、軌道支持部材３１の側面に平行軌道２２を形成するとともに、画面ケース２４の側面２４ｃに斜行軌道２３を形成し、また、画面ケース２４の裏面２４ｂに滑子２５を形成するとともに、キーケース２１の表面２１ａに滑子２６を形成するようにしてもよい。
また、図１３に示すように、軌道支持部材３１の側面に平行軌道２２を形成するとともに、キーケース２１の側面２１ｂに斜行軌道２３を形成し、また、画面ケース２４の裏面２４ｂに滑子２５，２６を形成するようにしてもよい。
なお、軌道支持部材３１の下端部より上端部の厚みが大きくなるような扇形状（カバー部）を形成すれば（図１２及び図１３の点線部分を参照）、画面ケース２４が滑動して傾倒したときに、軌道支持部材３１とキーケース２１の間に生じる隙間を被覆することができる。
【００２６】
実施の形態３．
図１４はこの発明の実施の形態３による携帯端末装置が分解されている状態を示す斜視図であり、図において、キーケース１の表面１ａには、複数の操作キーが配置されている操作部２が実装されている。
また、キーケース１の側面１ｂには、その長手方向にガイド溝３が形成されている。ただし、ガイド溝３は、ピン取付用穴４より下端側（図中、左下側）では、キーケース１の表面１ａまでの距離が一定になるように直線状に形成され、ピン取付用穴４より上端側（図中、右上側）では、キーケース１の表面１ａまでの距離が上端側にいくほど短くなるように傾斜状に形成されている。
【００２７】
ケース支持部材５の下端部５ｂには、ヒンジ部６が形成されており、そのヒンジ部６がヒンジ固定ピン７によってキーケース１と係合され、そのヒンジ部６を支点にして上端部５ｃがキーケース１の仰角方向に回転する。
ヒンジ固定ピン７はキーケース１のピン取付用穴４とヒンジ部６の穴に通され、ケース支持部材５を回転自在に支持する。
ケース支持部材５の表面５ａには、画面ケース９の裏面９ａに施されているスライドレール１０と嵌合する嵌合部である凸部８が形成されている。
ただし、スライドレール１０と嵌合する嵌合部の断面形状が凸形状である必要はなく、例えば、Ｔ字形状であってもよい。
【００２８】
画面ケース９は表面側に液晶ディスプレイ（図１４では見えていない）を実装しており、キーケース１の上に載置される。
画面ケース９の裏面９ａには、スライドレール１０が長手方向に施され、そのスライドレール１０がケース支持部材５の凸部８と嵌合する。
また、画面ケース９の裏面９ａには、先端がキーケース１のガイド溝３に当接する突起部１１が形成されている。
【００２９】
次に動作について説明する。
まず、図１４の携帯端末装置が組み立てられ、キーケース１と画面ケース９が閉じている状態（画面ケース９の下端面がキーケース１の下端面と一致している状態であるが、完全に一致している必要はない）では、図１５に示すように、ケース支持部材５の表面５ａがキーケース１の表面１ａと水平になる。
【００３０】
ユーザがキーケース１と画面ケース９が閉じている状態から、キーケース１と画面ケース９を開く場合、ユーザがキーケース１と画面ケース９をスライドさせる必要があるが、図１６及び図１８に示すように、スライドの初期段階では、スライドレール１０と凸部８からなるスライド機構によって、画面ケース９が水平に移動する。
即ち、キーケース１のガイド溝３が直線状に施されている位置に、画面ケース９の突起部１１が当接している間は、ケース支持部材５が回転せずに、そのケース支持部材５の表面５ａが水平を維持するので、画面ケース９が水平に移動する。
【００３１】
ユーザが更にスライドを進め、画面ケース９の突起部１１が当接している位置が、キーケース１のガイド溝３が傾斜状に施されている位置に至ると、図１７及び図１９に示すように、画面ケース９の突起部１１が図中上側に移動するため、画面ケース９に対して左回転方向（キーケース１の仰角方向）に力が作用する。
これにより、画面ケース９と連結されているケース支持部材５にも左回転方向（キーケース１の仰角方向）に力が作用するため、ヒンジ部６を支点にして上端部５ｃがキーケース１の仰角方向に回転し、そのケース支持部材５に伴って画面ケース９がキーケース１の仰角方向に回転する。
ユーザが更にスライドを進めると、画面ケース９の突起部１１が傾斜状に施されているキーケース１のガイド溝３に当接しながら、画面ケース９が斜め上方向に移動する。
【００３２】
ここで、図２０はユーザが携帯端末装置を通話に使用している状態を示し、図２１はユーザが携帯端末装置の液晶ディスプレイを見ている状態を示しているが、使用状態では、画面ケース９とキーケース１の間に所定の開き角度が確保されているので、通話時の使い勝手が向上するとともに、液晶ディスプレイの見易さが向上する。
【００３３】
以上で明らかなように、この実施の形態３によれば、ヒンジ部６がヒンジ固定ピン７によってキーケース１と係合され、そのヒンジ部６を支点にして上端部５ｃがキーケース１の仰角方向に回転するケース支持部材５を設け、画面ケース９をキーケース１の長手方向にスライド自在にケース支持部材５と連結するように構成したので、ユーザが持つ際に邪魔になる部材（従来の接続腕部に相当する部材）を用いることなく、画面ケース９とキーケース１の間に所定の開き角度を確保することができる効果を奏する。
また、画面ケース９とキーケース１の重なり面を湾曲状に形成する必要がないため、画面ケース９やキーケース１の厚みを抑制することができる効果も奏する。
【００３４】
なお、この実施の形態３では、スライドレール１０やガイド溝３が２本であるものについて示したが、スライドレール１０やガイド溝３が２本である必要はなく、例えば、１本でも、３本でもよい。
【００３５】
実施の形態４．
図２２はこの発明の実施の形態４による携帯端末装置が分解されている状態を示す斜視図であり、図において、図１４と同一符号は同一または相当部分を示すので説明を省略する。
ケース支持部材１２は２枚の平板材１２ｄ，１２ｅから構成され、２枚の平板材がヒンジ部６によって係合されており、平板材１２ｅがキーケース１の表面１ａに接着等によって貼り付けられている。
ケース支持部材１２の下端部１２ｂに形成されているヒンジ部６の穴にはヒンジ固定ピン７が挿入され、そのヒンジ部６を支点にして、平板材１２ｄの上端部１２ｃがキーケース１の仰角方向に回転する。
【００３６】
次に動作について説明する。
まず、図２２の携帯端末装置が組み立てられ、キーケース１と画面ケース９が閉じている状態（画面ケース９の下端面がキーケース１の下端面と一致している状態であるが、完全に一致している必要はない）では、図２３に示すように、ケース支持部材１２における平板材１２ｄの表面１２ａがキーケース１の表面１ａと水平になる。
【００３７】
ユーザがキーケース１と画面ケース９が閉じている状態から、キーケース１と画面ケース９を開く場合、ユーザがキーケース１と画面ケース９をスライドさせる必要があるが、図２４に示すように、スライドの初期段階では、スライドレール１０と凸部８からなるスライド機構によって、画面ケース９が水平に移動する。
即ち、キーケース１のガイド溝３が直線状に施されている位置に、画面ケース９の突起部１１が当接している間は、ケース支持部材１２の平板材１２ｄが回転せずに、そのケース支持部材１２における平板材１２ｄの表面１２ａが水平を維持するので、画面ケース９が水平に移動する。
【００３８】
ユーザが更にスライドを進め、画面ケース９の突起部１１が当接している位置が、キーケース１のガイド溝３が傾斜状に施されている位置に至ると、図２５に示すように、画面ケース９の突起部１１が図中上側に移動するため、画面ケース９に対して左回転方向（キーケース１の仰角方向）に力が作用する。
これにより、画面ケース９と連結されているケース支持部材１２の平板材１２ｄにも左回転方向（キーケース１の仰角方向）に力が作用するため、ヒンジ部６を支点にして平板材１２ｄの上端部１２ｃがキーケース１の仰角方向に回転し、そのケース支持部材１２の上端部１２ｃに伴って画面ケース９がキーケース１の仰角方向に回転する。
ユーザが更にスライドを進めると、画面ケース９の突起部１１が傾斜状に施されているキーケース１のガイド溝３に当接しながら、画面ケース９が斜め上方向に移動する。
【００３９】
以上で明らかなように、この実施の形態４によれば、ケース支持部材１２の平板材１２ｅがキーケース１の表面１ａに貼り付けられ、ヒンジ部６を支点にして平板材１２ｄの上端部１２ｃがキーケース１の仰角方向に回転するケース支持部材１２を設け、画面ケース９をキーケース１の長手方向にスライド自在にケース支持部材１２の平板材１２ｄと連結するように構成したので、ユーザが持つ際に邪魔になる部材（従来の接続腕部に相当する部材）を用いることなく、画面ケース９とキーケース１の間に所定の開き角度を確保することができる効果を奏する。
また、画面ケース９とキーケース１の重なり面を湾曲状に形成する必要がないため、画面ケース９やキーケース１の厚みを抑制することができる効果も奏する。
【００４０】
実施の形態５．
図２６はこの発明の実施の形態５による携帯端末装置が分解されている状態を示す斜視図であり、図において、図１４と同一符号は同一または相当部分を示すので説明を省略する。
ケース支持部材１３は図１４のケース支持部材５と同様の機能を有しているが、ケース支持部材１３の上端部１３ｃの厚みが、ケース支持部材５の上端部５ｃの厚みより大きい点でのみ相違している。
なお、ケース支持部材１３の上端部１３ｃの厚みは、キーケース１と画面ケース９が開いている状態のとき、キーケース１と画面ケース９の間に生じる隙間よりも大きいものとする。
【００４１】
次に動作について説明する。
図２７はキーケースと画面ケースが閉じている状態を示す側面図であり、図２８はキーケースと画面ケースの平行移動を示す側面図である。また、図２９はキーケースと画面ケースの平行移動と回転移動を示す側面図である。
この実施の形態５による携帯端末装置の基本的な動作は、上記実施の形態３による携帯端末装置と同様であるため、その説明の詳細は省略する。
【００４２】
この実施の形態５による携帯端末装置では、ケース支持部材１３の上端部１３ｃの厚みが、ケース支持部材５の上端部５ｃの厚みより大きいため、図２９に示すように、キーケース１と画面ケース９が開いている状態でも、キーケース１と画面ケース９の隙間がケース支持部材１３の上端部１３ｃによって埋められ、水や埃等の侵入を防ぐことができる。
【００４３】
実施の形態６．
上記実施の形態３〜５では、ガイド溝３がキーケース１の側面１ｂに施され、そのガイド溝３に当接する突起部１１が画面ケース９の裏面９ａに形成されているものについて示したが、図３０及び図３１に示すように、ガイド溝３が画面ケース９の側面に施され、そのガイド溝３に当接する突起部１１がキーケース１の表面１ａに形成されていてもよく、上記実施の形態３〜５と同様の効果を奏することができる。
【００４４】
実施の形態７．
上記実施の形態３〜５では、ガイド溝３がキーケース１の側面１ｂ（キーケース１の外側）に施されているものについて示し、上記実施の形態６では、ガイド溝３が画面ケース９の側面に施されているものについて示したが、図３２及び図３３に示すように、ガイド溝３が画面ケース９の内側に施されていてもよい。また、図３４に示すように、ガイド溝３がキーケース１の内側に施されていてもよい。
このように、ガイド溝３が画面ケース９やキーケース１の内側に施されている場合、外部からガイド溝３が見えなくなるため、携帯端末装置の意匠性を高めることができる効果を奏する。
【００４５】
実施の形態８．
上記実施の形態３〜７では、ガイド溝３に当接する突起部１１の高さが固定であるものについて示したが、図３５及び図３６に示すように、高さが変更自在の突起部１１が形成されていてもよい。
図３５は突起部１１を伸ばしている状態を示し、図３６は突起部１１を縮めている状態を示している。
【００４６】
例えば、突起部１１を縮めている状態から突起部１１を伸ばすと、画面ケース９とキーケース１の間の開き角度を大きくすることができる。逆に、突起部１１を伸ばしている状態から突起部１１を縮めると、画面ケース９とキーケース１の間の開き角度を小さくすることができる。
これにより、ユーザが好みの開き角度を設定することができる効果を奏する。
なお、ユーザが突起部１１の伸縮を手動で設定するようにしてもよいが、突起部１１にバネやスプリングなどの弾性部材を収納し、ユーザがその弾性部材の弾性力を設定すれば、その弾性力に応じた高さが得られるようにしてもよい。
【００４７】
実施の形態９．
図３７はこの発明の実施の形態９による携帯端末装置が分解されている状態を示す斜視図であり、図において、図１４と同一符号は同一または相当部分を示すので説明を省略する。
キーケース１の側面１ｂには、その長手方向にガイド溝１４が形成されている。ただし、ガイド溝１４は、ピン取付用穴４より下端側（図中、左下側）では、キーケース１の表面１ａまでの距離が一定になるように直線状に形成され、ピン取付用穴４より上端側（図中、右上側）では、扇状に形成されている。即ち、上端側にいくほど溝幅が広くなるように形成されている。
ケース支持部材１５の下端部１５ｂには、図１４のケース支持部材５のヒンジ部６と同様のヒンジ部が形成されており、そのヒンジ部がヒンジ固定ピンによってキーケース１と係合され、そのヒンジ部を支点にして上端部１５ｃがキーケース１の仰角方向に回転する。
また、ケース支持部材１５の上端部１５ｃの裏面には、弾性部材であるスプリング１５ｄが取り付けられており、そのスプリング１５ｄによって押し圧されている。
【００４８】
次に動作について説明する。
まず、図３７の携帯端末装置が組み立てられ、キーケース１と画面ケース９が閉じている状態（画面ケース９の下端面がキーケース１の下端面と一致している状態であるが、完全に一致している必要はない）では、図３８に示すように、ケース支持部材１５の表面１５ａがキーケース１の表面１ａと水平になる。
【００４９】
ユーザがキーケース１と画面ケース９が閉じている状態から、キーケース１と画面ケース９を開く場合、ユーザがキーケース１と画面ケース９をスライドさせる必要があるが、スライドの初期段階では、画面ケース９が水平に移動する。
即ち、キーケース１のガイド溝１４が直線状に施されている位置に、画面ケース９の突起部１１が嵌合している間は、ケース支持部材１５が回転せずに、そのケース支持部材１５の表面１５ａが水平を維持するので、画面ケース９が水平に移動する。
【００５０】
ユーザが更にスライドを進め、画面ケース９の突起部１１が嵌合している位置が、キーケース１のガイド溝１４が扇状に施されている位置に至ると、ガイド溝１４の上側が斜めになっており、画面ケース９の上方向に対するガイド溝１４の案内が一時的にはずれるため、図３９に示すように、スプリング１５ｄの押し圧力によって、画面ケース９がキーケース１の仰角方向に回転する。
即ち、スプリング１５ｄの押し圧力によって、ケース支持部材１５の下端部１５ｂを支点にして上端部１５ｃがキーケース１の仰角方向に回転し、そのケース支持部材１５の上端部１５ｃに伴って画面ケース９がキーケース１の仰角方向に回転する。
ユーザが更にスライドを進めると、図４０に示すように、画面ケース９の突起部１１がガイド溝１４の上側に沿って、画面ケース９が斜め上方向に移動する。
【００５１】
以上で明らかなように、この実施の形態９によれば、下端部１５ｂがキーケース１と係合され、その下端部１５ｂを支点にして上端部１５ｃがキーケース１の仰角方向に回転して、画面ケース９を押し上げるケース支持部材１５を設けるように構成したので、ユーザが持つ際に邪魔になる部材（従来の接続腕部に相当する部材）を用いることなく、画面ケース９とキーケース１の間に所定の開き角度を確保することができる効果を奏する。
また、画面ケース９とキーケース１の重なり面を湾曲状に形成する必要がないため、画面ケース９やキーケース１の厚みを抑制することができる効果も奏する。
【００５２】
実施の形態１０．
上記実施の形態３〜９では、画面ケース９をキーケース１の長手方向にスライド自在にケース支持部材５と連結するものについて示したが、図４１及び図４２に示すように、画面ケース９をキーケース１の短手方向にスライド自在にケース支持部材５と連結するようにしてもよく、上記実施の形態３〜９と同様の効果を奏することができる。
【図面の簡単な説明】
【００５３】
【図１】この発明の実施の形態１による携帯端末装置が閉じている状態を示す側面図である。
【図２】この発明の実施の形態１による携帯端末装置が開いている状態を示す側面図である。
【図３】この発明の実施の形態１による携帯端末装置を示す側面図である。
【図４】この発明の実施の形態１による携帯端末装置を示す側面図である。
【図５】この発明の実施の形態１による携帯端末装置を示す側面図である。
【図６】この発明の実施の形態１による携帯端末装置を示す側面図である。
【図７】この発明の実施の形態１による携帯端末装置を示す側面図である。
【図８】この発明の実施の形態２による携帯端末装置が閉じている状態を示す側面図である。
【図９】この発明の実施の形態２による携帯端末装置が開いている状態を示す側面図である。
【図１０】この発明の実施の形態２による携帯端末装置を示す側面図である。
【図１１】この発明の実施の形態２による携帯端末装置を示す側面図である。
【図１２】この発明の実施の形態２による携帯端末装置を示す側面図である。
【図１３】この発明の実施の形態２による携帯端末装置を示す側面図である。
【図１４】この発明の実施の形態３による携帯端末装置が分解されている状態を示す斜視図である。
【図１５】キーケースと画面ケースが閉じている状態を示す側面図である。
【図１６】キーケースと画面ケースの平行移動を示す側面図である。
【図１７】キーケースと画面ケースの平行移動と回転移動を示す側面図である。
【図１８】キーケースと画面ケースの平行移動を示す斜視図である。
【図１９】キーケースと画面ケースの平行移動と回転移動を示す斜視図である。
【図２０】ユーザが携帯端末装置を通話に使用している状態を示す説明図である。
【図２１】ユーザが携帯端末装置の液晶ディスプレイを見ている状態を示す説明図である。
【図２２】この発明の実施の形態４による携帯端末装置が分解されている状態を示す斜視図である。
【図２３】キーケースと画面ケースが閉じている状態を示す側面図である。
【図２４】キーケースと画面ケースの平行移動を示す側面図である。
【図２５】キーケースと画面ケースの平行移動と回転移動を示す側面図である。
【図２６】この発明の実施の形態５による携帯端末装置が分解されている状態を示す斜視図である。
【図２７】キーケースと画面ケースが閉じている状態を示す側面図である。
【図２８】キーケースと画面ケースの平行移動を示す側面図である。
【図２９】キーケースと画面ケースの平行移動と回転移動を示す側面図である。
【図３０】キーケースと画面ケースの平行移動を示す斜視図である。
【図３１】キーケースと画面ケースの平行移動と回転移動を示す斜視図である。
【図３２】この発明の実施の形態７による携帯端末装置が分解されている状態を示す斜視図である。
【図３３】キーケースと画面ケースが開いている状態を示す斜視図である。
【図３４】この発明の実施の形態７による携帯端末装置が分解されている状態を示す斜視図である。
【図３５】突起部を伸ばしている状態を示す斜視図である。
【図３６】突起部を縮めている状態を示す斜視図である。
【図３７】この発明の実施の形態９による携帯端末装置が分解されている状態を示す斜視図である。
【図３８】キーケースと画面ケースが閉じている状態を示す側面図である。
【図３９】キーケースと画面ケースの平行移動と回転移動の初期段階を示す側面図である。
【図４０】キーケースと画面ケースが開いている状態を示す側面図である。
【図４１】キーケースと画面ケースの平行移動を示す斜視図である。
【図４２】キーケースと画面ケースの平行移動と回転移動を示す斜視図である。
【符号の説明】
【００５４】
１  キーケース、１ａ  キーケースの表面、１ｂ  キーケースの側面、２  操作部、３  ガイド溝、４  ピン取付用穴、５  ケース支持部材、５ａ  ケース支持部材の表面、５ｂ  ケース支持部材の下端部、５ｃ  ケース支持部材の上端部、６  ヒンジ部、７  ヒンジ固定ピン、８  凸部（嵌合部）、９  画面ケース、９ａ  画面ケースの裏面、１０  スライドレール、１１  突起部、１２  ケース支持部材、１２ａ  ケース支持部材の表面、１２ｂ  ケース支持部材の下端部、１２ｃ  ケース支持部材の上端部、１２ｄ  平板材、１２ｅ  平板材、１３  ケース支持部材、１３ａ  ケース支持部材の表面、１３ｂ  ケース支持部材の下端部、１３ｃ  ケース支持部材の上端部、１４  ガイド溝、１５  ケース支持部材、１５ａ  ケース支持部材の表面、１５ｂ  ケース支持部材の下端部、１５ｃ  ケース支持部材の上端部、１５ｄ  スプリング（弾性部材）、２１  キーケース（第１の筐体）、２１ａ  キーケースの表面、２１ｂ  キーケースの側面、２２  平行軌道、２３  斜行軌道、２４  画面ケース（第２の筐体）、２４ａ  画面ケースの表面、２４ｂ  画面ケースの裏面、２４ｃ  画面ケースの側面、２５，２６  滑子、３１  軌道支持部材、３２  ヒンジ、３３  滑子。
【図１】
2006186577.tif 000003
【図２】
2006186577.tif 000004
【図３】
2006186577.tif 000005
【図４】
2006186577.tif 000006
【図５】
2006186577.tif 000007
【図６】
2006186577.tif 000008
【図７】
2006186577.tif 000009
【図８】
2006186577.tif 000010
【図９】
2006186577.tif 000011
【図１０】
2006186577.tif 000012
【図１１】
2006186577.tif 000013
【図１２】
2006186577.tif 000014
【図１３】
2006186577.tif 000015
【図１４】
2006186577.tif 000016
【図１５】
2006186577.tif 000017
【図１６】
2006186577.tif 000018
【図１７】
2006186577.tif 000019
【図１８】
2006186577.tif 000020
【図１９】
2006186577.tif 000021
【図２０】
2006186577.tif 000022
【図２１】
2006186577.tif 000023
【図２２】
2006186577.tif 000024
【図２３】
2006186577.tif 000025
【図２４】
2006186577.tif 000026
【図２５】
2006186577.tif 000027
【図２６】
2006186577.tif 000028
【図２７】
2006186577.tif 000029
【図２８】
2006186577.tif 000030
【図２９】
2006186577.tif 000031
【図３０】
2006186577.tif 000032
【図３１】
2006186577.tif 000033
【図３２】
2006186577.tif 000034
【図３３】
2006186577.tif 000035
【図３４】
2006186577.tif 000036
【図３５】
2006186577.tif 000037
【図３６】
2006186577.tif 000038
【図３７】
2006186577.tif 000039
【図３８】
2006186577.tif 000040
【図３９】
2006186577.tif 000041
【図４０】
2006186577.tif 000042
【図４１】
2006186577.tif 000043
【図４２】
2006186577.tif 000044